(57)【要約】【課題】煩雑な操作を必要とせず、簡単な操作で行き先の設定が行なえるカーナビゲーションシステムおよびカーナビゲーション装置を提供する。【解決手段】  ＧＰＳ機能付きの撮影装置１００で撮影した画像ファイルが多数記録されているメモリカードをナビゲーション装置１５０に装填することができるようにする。その装填されたメモリカード２００に記録されている画像ファイルのヘッダにあるサムネイル画像データをすべて読み込んでそれらのサムネイル画像データが表すサムネイル画像を一覧表示する。それらのサムネイル画像のうちのいずれかが十字キーの操作により指定されたら、そのサムネイル画像に対応するＧＰＳデータを読み込んでそのＧＰＳデータが示す位置を行き先として設定する。【選択図】  図１
2006098250.tif 000002
【特許請求の範囲】
【請求項１】
自分の現在位置を認識するＧＰＳ機能を有し行き先の指定を受けて画面上に現在位置を示した地図を表示しながら行き先までの道案内を行なうカーナビゲーション装置と、撮影操作を受けて被写体の画像データを記録媒体に記録する撮影装置とを有するカーナビゲーションシステムにおいて、
前記撮影装置が、自分の現在位置を認識して自分の現在位置を表すＧＰＳデータを生成するＧＰＳ機能を有し、撮影の際にＧＰＳデータを生成して撮影により得られた画像データに対応づけて前記記録媒体に記録するものであって、
前記カーナビゲーション装置が、
画像データとＧＰＳデータとが対応づけられて記録された記録媒体が着脱自在に装着され該記録媒体から画像データとＧＰＳデータを読み出す媒体ドライブと、
前記媒体ドライブにより読み込まれた画像データに基づくサムネイル画像一覧を表示させる表示制御部と、
表示されたサムネイル画像一覧の中から操作に応じて所定のサムネイル画像の選択を受け選択されたサムネイル画像に対応するＧＰＳデータが表す位置を行き先として設定する行き先設定部とを備えたことを特徴とするカーナビゲーションシステム。
【請求項２】
前記表示制御部は、前記サムネイル画像一覧を、過去に行き先として選択されたサムネイル画像と行き先として選択されたことのないサムネイル画像とが区別された表示態様で表示させるものであることを請求項１記載のカーナビゲーションシステム。
【請求項３】
前記行き先設定部が、前記サムネイル画像一覧の中から複数のサムネイル画像の選択を受けるものであって、
複数のサムネイル画像の選択を受けて選択された複数のサムネイル画像に対応する複数の行き先を通るルートを探索するルート探索部を備えたことを特徴とする請求項１記載のカーナビゲーションシステム。
【請求項４】
前記行き先設定部が、前記サムネイル画像一覧に重ねて、操作に応じて移動するカーソルを表示させるものであり、
前記表示制御部は、前記カーソルをいずれかのサムネイル画像に重ねる操作を受けて、該サムネイル画像に対応するＧＰＳデータが表わす位置周辺の地図を表示させるものであることを特徴とする請求項１記載のカーナビゲーションシステム。
【請求項５】
前記行き先設定部が、前記サムネイル画像一覧に重ねて操作に応じて移動するカーソルを表示させるものであり、
前記表示制御部は、前記カーソルをいずれかのサムネイル画像に重ねる操作を受けて、該サムネイル画像に対応するＧＰＳデータが表わす位置の地点名を表示させるものであることを特徴とする請求項１記載のカーナビゲーションシステム。
【請求項６】
自分の現在位置を認識するＧＰＳ機能を有し行き先の指定を受けて画面上に現在位置を示した地図を表示しながら行き先までの道案内を行なうカーナビゲーション装置において、
画像データとＧＰＳデータとが対応づけられて記録された記録媒体が着脱自在に装着され該記録媒体から画像データとＧＰＳデータを読み出す媒体ドライブと、
前記媒体ドライブにより読み込まれた画像データに基づくサムネイル画像一覧を表示させる表示制御部と、
表示されたサムネイル画像一覧の中から操作に応じて所定のサムネイル画像の選択を受け選択されたサムネイル画像に対応するＧＰＳデータが表す位置を行き先として設定する行き先設定部とを備えたことを特徴とするカーナビゲーション装置。
【発明の詳細な説明】
【技術分野】
【０００１】
本発明は、自分の現在位置を認識するＧＰＳ機能を有し行き先の設定を受けて画面上に現在位置を示した地図を表示しながら行き先までの道案内を行なうカーナビゲーション装置と、撮影操作を受けて被写体の画像データを記録媒体に記録する撮影装置とを有するカーナビゲーションシステムに関する。
【背景技術】
【０００２】
デジタルカメラの中には、ＧＰＳ受信装置を備えたものもある。このＧＰＳ受信装置を備えたカメラで撮影を行なうと、撮影した地点の位置情報がＧＰＳデータとしてＧＰＳ受信装置により取得され画像ファイルのヘッダ内にその位置情報が書き込まれる。
【０００３】
このようにＧＰＳ受信装置が組み込まれていると、撮影した地域ごとに画像ファイルを整理するようなことが行なえる。
【０００４】
ところで、最近、ドライバに対して適切な道案内を行なうカーナビゲーションシステムが車に搭載されるようになってきている。このようなカーナビゲーションシステムにおいては住所などが行き先として設定されるものが多いが、住所などを一々入力するのは面倒であるので、携帯端末の操作により行き先設定を簡単に行なうことができるようにしているものもある（例えば特許文献１参照）。
【０００５】
この特許文献１のものでは、デジタルカメラを内蔵するＧＰＳ端末装置を携帯端末として用いて、その携帯端末のデジタルカメラで撮影した画像データ、文字などの入力情報、さらに地図情報サービスセンターとの間の情報交換により得た地図データに基づいて、携帯端末内で目的地を表すオリジナルデータを作成して、そのオリジナルデータをカーナビゲーション装置に転送することによりカーナビゲーション装置に現在位置から目的地までの経路を地図の形で表示画面上に表示させている。
【０００６】
しかしながら、携帯端末で取得したＧＰＳデータを地図情報サービスセンタに転送して携帯端末と地図情報サービスセンタとの間の情報交換により地図データを得るというのはいかにも面倒である。
【特許文献１】特開平８−１７２５６１号公報
【発明の開示】
【発明が解決しようとする課題】
【０００７】
本発明は、上記事情に鑑み、煩雑な操作を必要とせず、簡単な操作で行き先の設定が行なえるカーナビゲーションシステムおよびカーナビゲーション装置を提供することを目的とする。
【課題を解決するための手段】
【０００８】
上記目的を達成する本発明のカーナビゲーションシステムは、自分の現在位置を認識するＧＰＳ機能を有し行き先の設定を受けて画面上に現在位置を示した地図を表示しながら行き先までの道案内を行なうカーナビゲーション装置と、撮影操作を受けて被写体の画像データを記録媒体に記録する撮影装置とを有するカーナビゲーションシステムにおいて、
上記撮影装置が、自分の現在位置を認識して自分の現在位置を表すＧＰＳデータを生成するＧＰＳ機能を有し、撮影の際にＧＰＳデータを生成して撮影により得られた画像データに対応づけて上記記録媒体に記録するものであって、
上記カーナビゲーション装置が、
画像データとＧＰＳデータとが対応づけられて記録された記録媒体が着脱自在に装着されその記録媒体から画像データとＧＰＳデータを読み出す媒体ドライブと、
上記媒体ドライブにより読み込まれた画像データに基づくサムネイル画像一覧を表示させる表示制御部と、
表示されたサムネイル画像一覧の中から操作に応じて所定のサムネイル画像の選択を受け選択されたサムネイル画像に対応するＧＰＳデータが表す位置を行き先として設定する行き先設定部とを備えたことを特徴とする。
【０００９】
上記本発明のカーナビゲーションシステムによれば、ＧＰＳ機能付きの撮影装置によって撮影された画像を表すデータと撮影位置を表すＧＰＳデータとの双方が記録されている記録媒体がカーナビゲーション装置に装填されると、その記録媒体内にある画像データすべてが上記媒体ドライブにより読み出されて上記表示制御部の制御の基にすべての画像データに基づくサムネイル画像が行き先として表示画面上に一覧表示される。その一覧表示されたサムネイル画像のうちのいずれかが操作により選択されたら、上記行き先設定部によってその選択されたサムネイル画像に対応するＧＰＳデータの表す行き先がカーナビゲーション装置に自動的に設定される。
【００１０】
このようにしておくと、地図情報サービスセンターとの間の情報交換により地図データを得る必要がなくなり、記録媒体の装填およびサムネイル画像のうちのいずれかを選択するという操作だけで簡単に行き先を設定することができる。
【００１１】
ここで、上記表示制御部は、上記サムネイル画像一覧を、過去に行き先として選択されたサムネイル画像と行き先として選択されたことのないサムネイル画像とが区別された表示態様で表示させるものであることが好ましい。
【００１２】
このように過去に行き先として選択されたことのあるサムネイル画像が、過去に選択されたことのないサムネイル画像と区別されて表示されると、撮影者は、行き先として設定したことのあるサムネイル画像と行き先として設定したことのないサムネイル画像とを即時に区別することができる。
【００１３】
また、上記行き先設定部が、上記サムネイル画像一覧の中から複数のサムネイル画像の選択を受けるものであって、
複数のサムネイル画像の選択を受けて選択された複数のサムネイル画像に対応する複数の行き先を通るルートを探索するルート探索部を備えた態様であることが好ましい。
【００１４】
そうすると、例えば旅先で複数の行き先をどのように回ろうかなどと思案する必要がなくなり、上記ルート探索部によって選択された複数のサムネイル画像に対応する複数の行き先を通るルートが自動的に探索される。
【００１５】
このように上記カーナビゲーションシステムによれば、ドライバがわざわざ地図を片手に行き先を検討しなくても、ＧＰＳデータと画像データとが記録されている記録媒体さえあれば、複数のサムネイル画像を選択することによって上記ルート探索部が自動的にルートの探索を行なってくれるようになる。
【００１６】
また、上記行き先設定部が、上記サムネイル画像一覧に重ねて、操作に応じて移動するカーソルを表示させるものであり、
上記表示制御部は、上記カーソルをいずれかのサムネイル画像に重ねる操作を受けて、そのサムネイル画像に対応するＧＰＳデータが表わす位置周辺の地図を表示させるものであることが好ましい。
【００１７】
このようにサムネイル画像は縮小画像であって少々見難いのでサムネイル画像に対応するＧＰＳデータが表す位置周辺の地図を表示させるようにすると、行き先がドライバにより明確に伝達される。
【００１８】
また、上記行き先設定部が、上記サムネイル画像一覧に重ねて操作に応じて移動するカーソルを表示させるものであり、
上記表示制御部は、上記カーソルをいずれかのサムネイル画像に重ねる操作を受けてそのサムネイル画像に対応するＧＰＳデータが表わす位置の地点名を表示させるものであることが好ましい。
【００１９】
上記のように地図を表示させるだけでも良いが、地点名が表示されても良く、そうすると住所などの確認を行なうことができる。
【００２０】
このようなカーナビゲーションシステムの一構成要素であるカーナビゲーション装置は、
自分の現在位置を認識するＧＰＳ機能を有し行き先の指定を受けて画面上に現在位置を示した地図を表示しながら行き先までの道案内を行なうカーナビゲーション装置において、
画像データとＧＰＳデータとが対応づけられて記録された記録媒体が着脱自在に装着されその記録媒体から画像データとＧＰＳデータを読み出す媒体ドライブと、
上記媒体ドライブにより読み込まれた画像データに基づくサムネイル画像一覧を表示させる表示制御部と、
表示されたサムネイル画像一覧の中から操作に応じて所定のサムネイル画像の選択を受け選択されたサムネイル画像に対応するＧＰＳデータが表す位置を行き先として設定する行き先設定部とを備えたことを特徴とする。
【発明の効果】
【００２１】
以上、説明したように、煩雑な操作を必要とせず、簡単な操作で行き先の設定が行なえるカーナビゲーションシステムおよびカーナビゲーション装置が実現される。
【発明を実施するための最良の形態】
【００２２】
以下、本発明の実施の形態について説明する。
【００２３】
図１は、本発明の一実施形態であるカーナビゲーションシステム１を示す図である。
【００２４】
図１に示すカーナビゲーションシステム１は、自分の現在位置を認識するＧＰＳ機能を有し行き先の設定を受けて画面上に現在位置を示した地図を表示しながら行き先までの道案内を行なうカーナビゲーション装置１５０と、撮影操作を受けて被写体の画像データを記録媒体に記録する撮影装置１００とを有する。
【００２５】
撮影装置１００の方には撮影レンズを内蔵したレンズ鏡胴１０１がボディ１００ａ中央に配備されており、そのレンズ鏡胴１０１の上方にファインダ１０２や閃光発光窓１０３が設けられている。また、ボディ側面にはメモリカード２００が装填される装填口１０１ａが設けられており、その装填口１０１ａからメモリカード２００が装填された状態にあるときにボディ上面にあるレリーズ釦１０４が操作されると、撮影画像が画像ファイルとなってそのメモリカード２００に記録されるようになっている。この画像ファイルは、画像データだけでなく撮影情報（例えば撮影日時、撮影画像の縮小画像であるサムネイル画像データなど）が記録されているヘッダを持つものであるので、この画像ファイルが本発明にいう画像データとＧＰＳデータとが対応づけられたものということになる。この画像ファイルがメモリカード２００に多数記録される。
【００２６】
また、上記撮影はボディ１００ａ上面にあるモードダイヤル１０５により撮影モードが指定された場合に行なわれるものであって、モードダイヤル１０５により再生モードが指定されている場合にはメモリカード２００内の既撮影画像データに基づく画像が背面側にある表示画面（図示せず）上に表示される。
【００２７】
また、モードダイヤル１０５により撮影モードが指定されさらに背面側にある操作子（図示せず）によりＧＰＳモードが指定されたときには、撮影装置内部のＧＰＳ受信装置により複数の衛星からの電波が受信され撮影位置が計算されその撮影位置情報（以降ＧＰＳデータという）が画像ファイルの上記ヘッダの撮影情報として書き加えられてメモリカードに記録されるようになっている。
【００２８】
一方、カーナビゲーション装置１５０の方にもメモリカード装填室があり装填口１５１ａを通してそのメモリカード２００が装填されると、そのメモリカード２００内に記録されている画像ファイルのヘッダ情報がカーナビゲーション装置１５０内に読み込まれるようになっている。このようにメモリカード２００が挿入口１５１ａからメモリ装填室に装填された状態にあるときに装填口１５１ａの横方向のメニュー釦１５１が操作され選択項目として‘行き先設定’が十字キー１５２により選択されていたとすると、メモリカード２００内のすべての画像ファイルのヘッダがカーナビゲーション装置１５０内に全て読み込まれて図１に示すように表示画面上にサムネイル画像が一覧表示されるようになっている。
【００２９】
表示画面上には、さらにサムネイル画像一覧に重ねて操作に応じて移動するカーソルが表示されており、十字キー１５２の上キー１５２１、下キー１５２２，左キー１５２３，右キー１５２４のいずれかの操作によりそのカーソルが移動するようになっている。この一覧表示されているサムネイル画像のうちのいずれかのサムネイル画像に十字カーソル１５２ａが重ねられ十字キー１５２中央のＯＫ釦１５２５が押された後、十字キー１５２の操作により十字カーソル１５２ａがＥＮＴＥＲの上に重ねられて十字キー１５２の中央のＯＫ釦１５２５がもう一度押されると、カーナビゲーション装置での行き先設定が自動的に完了する構成となっている。
【００３０】
ここで、撮影装置１００およびカーナビゲーション装置１５０の内部構成それぞれを、図２を参照して説明する。
【００３１】
図２は、撮影装置１００、カーナビゲーション装置１５０それぞれの内部構成を示す図である。
【００３２】
まず、撮影装置１００の内部構成を簡単に説明する。
【００３３】
撮影装置１００は撮影光学系１０１ａを備えており、その撮影光学系１０１ａで被写体を撮像素子１１１に結像させている。その被写体を結像させた撮像素子１１１で被写体を表すアナログ信号の画像データを生成して、後段のＣＤＳＡＭＰ１１２へと出力させ、さらにＡ／Ｄ部１１３でそのアナログ信号の画像データをデジタル信号の画像データに変換させた後、デジタル信号になった画像データを、一旦データバス１１０１を介して画像バッファメモリ１１４へ記憶させるようにしている。
【００３４】
撮像素子１１１とＣＤＳＡＭＰ１１２とＡ／Ｄ部１１３とでアナログ信号の画像データの処理を行なうにあたっては、それら各部で同期して処理が行なわれるように、メインＣＰＵ１１０の制御の基にクロックジェネレータ（以降ＣＧという）１１０ａから各部にクロック信号が供給されるようになっている。このようにデジタル信号の画像データに変換された後は、メインＣＰＵ１１０の制御の基にデータバス１１０１を介してデジタル信号になった画像データのやりとりが信号処理部を初めとする各部の間で行なわれる。
【００３５】
ここでは、このデジタル信号になった画像データが、一旦画像バッファメモリ１１４にすべて記憶され、その画像バッファメモリ１１４に記憶された画像データが、メインＣＰＵ１１０の制御の基にデータバス１１０１を経由して信号処理部１１５へ供給され信号処理部１１５で画像データに信号処理が施される。その信号処理部１１５で信号処理された画像データは、メインＣＰＵ１１０の制御の基に今度は圧縮伸張部１１６へ供給されその圧縮伸張部１１６で圧縮処理が施され、さらにその圧縮処理が施された画像データがメモリカードＩ／Ｆ１１７へ供給されメモリカードＩ／Ｆ１１７によってメモリカード２００に画像データが記録される。このメモリカードＩ／Ｆ１１７によってメモリカード２００に画像データが記録されるときには、その画像データに撮影日時やサムネイル画像データなどのヘッダ情報が付加され、ヘッダと画像データとで構成される画像ファイルとなって画像データがメモリカード２００に記録される。
【００３６】
この撮影装置１００はＧＰＳ受信装置１１８を備えており、そのＧＰＳ受信装置１１８により取得されたＧＰＳデータがメインＣＰＵ１１０のレジスタ内に読み込まれていたら、そのレジスタ内のＧＰＳデータがデータバス１１０１を経由してメモリカードＩ／Ｆ１１７に供給されＧＰＳデータが撮影情報の一つとしてヘッダに書き込まれるようにもなっている。
【００３７】
次にカーナビゲーション装置１５０の内部構成を簡単に説明する。
【００３８】
カーナビゲーション装置１５０は勿論ＧＰＳ受信装置１６１を備えており、そのＧＰＳ受信装置１６１で得た緯度、経度情報周辺の地図を表示制御部１６３の制御の基に表示画面上に表示することができるように地図記憶部１６２も備えている。本実施形態のカーナビゲーション装置１５０では、上記ＧＰＳ受信装置１６１からのリードライトや上記地図記憶部１６２からのリードライトや上記表示制御部１６３への表示指示などの制御がメインＣＰＵ１６０により統括的に行なわれている。メインＣＰＵ１６０には、メニュー釦１５３や十字キー１５２の各キー１５２１〜１５２５からの操作信号も供給されており、これらの操作子の操作信号に応じた処理を各部に行なわせることが自在な構成となっている。
【００３９】
また、本実施形態のカーナビゲーション装置１５０には、メインＣＰＵ１６０の制御の基に、装填されたメモリカード２００に記録されている画像ファイルの中のヘッダ情報を読み出す媒体ドライブ１６４も配備されている。
【００４０】
前述の如く、上記メニュー釦１５３の操作により表示画面上に表示された選択項目の中の‘行き先設定’の項目が十字キー１５２により指定されているときに、メモリカード２００がメモリ挿入口１５１ａ（図１参照）から装填室に装填されると、メモリカード２００が装填されたことがメインＣＰＵ１１０に検出され媒体ドライバ１６４によってメモリカード２００に記録されている多数の画像ファイルの画像データここではヘッダ情報がすべて読み出される。この読み出されたヘッダ情報がメインＣＰＵ１６０の制御の基にＲＡＭに読み込まれてヘッダ内のサムネイル画像データが表示制御部１６３に供給され表示制御部１６３によってそれらのサムネイル画像データに基づくサムネイル画像一覧が表示画面上に表示される。
【００４１】
この一覧表示されているサムネイル画像のうちのいずれかが操作子である十字キー１５２の操作により選択され、十字キー１５２の中央にあるＯＫ釦１５２５が押され、さらに‘ＥＮＴＥＲ’に重ねるように十字カーソルが移動した後もう一度ＯＫ釦が押されたらメインＣＰＵ１６０がその操作を受けて表示制御部１５３に地図記憶部内に記憶されている、その行き先周辺の地図データを供給して、表示制御部１５３にその地図データに基づく地図を行き先として表示させるようになっている。
【００４２】
図３は、このカーナビゲーションシステム１で行き先設定を行なうときの手順を示すフローチャートである。
【００４３】
まずステップＳ１としてＧＰＳ受信機能付きデジタルカメラ１００により撮影を行なう。ステップＳ２では、ステップＳ１での撮影によりＧＰＳデータをヘッダ情報として持つ画像ファイルをメモリカード２００に記録する。
【００４４】
次のステップＳ３で、画像ファイルが多数記録されているメモリカード２００をカーナビゲーション装置１５０に装填する。次のステップＳ４で、メモリカード２００内の画像ファイルのヘッダ情報すべてを媒体ドライブにより読み出し、メインＣＰＵ側のワーキングメモリであるＲＡＭ１６０ａ（図２参照）に読み込み、さらにそのＲＡＭ１６０ａに読み込んだヘッダ情報の中のサムネイル画像データを表示制御部１６３に供給して表示制御部１６３にサムネイル画像一覧の表示を行なせる。ユーザが行き先として一覧表示されているサムネイル画像の中のいずれかを操作により選択したら、そのサムネイル画像に対応する画像ファイルのヘッダの中のＧＰＳデータがＣＰＵ１６０によって参照され行き先設定が完了する。このＣＰＵ１６０が本発明にいう行き先設定部にあたる。
【００４５】
図４は、サムネイル画像の一覧表示を示す図である。
【００４６】
この表示画面に表示されているサムネイル画像のいずれかの領域上に十字キー１５２の操作により十字カーソル１５２ａが重なるように配置されＯＫ釦が押された後、十字キー１５２の操作により十字カーソルが移動して‘ＥＮＴＥＲ’と重なるように配置されて十字キーの中央のＯＫ釦１５２５が押されたら、行き先設定部であるメインＣＰＵ１６０によって行き先が設定されるようになっている。
【００４７】
このようにすると、十字キー１５２を操作することにより十字カーソル１５２ａを所定のサムネイル画像に重なる位置に移動させた後、ＥＮＴＥＲキーに十字キーを重ねてＯＫ釦を押すという簡単な操作で行き先を設定することが可能となる。
【００４８】
また本実施形態では、図４に示すように過去に行き先として選択されたことのあるサムネイル画像の枠が太線になって表示され、過去に選択されたことのないサムネイル画像と区別されて表示されている。
【００４９】
このように過去に行き先として選択されたことのあるサムネイル画像が、過去に選択されたことのないサムネイル画像と区別されて表示されると、ドライバーは、行き先として設定したことのあるサムネイル画像と、行き先として設定したことのないサムネイル画像とを即時に区別することができる。
【００５０】
図５は、複数の行き先を設定することができるようにした場合の例を示す図である。
【００５１】
また、表示画面上の‘ＥＮＴＥＲ’の領域に十字カーソル１５２ａを移動させずに複数のサムネイル画像上に十字カーソル１５２ａを移動させる度に十字キー１５２中央のＯＫ釦１５２５を押す操作があった場合には複数のサムネイル画像が選択される。その後ＥＮＴＥＲに十字キー１５２の操作により十字カーソル１５２ａが配置されＯＫ釦１５２５が操作されると、複数の行き先が設定される。
【００５２】
本実施形態では、このように複数の行き先が入力情報としてＣＰＵ１６０（図２参照）に入力されると、それら複数の行き先を結む最適ルートがＣＰＵにより計算されてその最適ルートに関連のある地図データが地図記憶部１６２から読み出され表示制御部１６３にその地図データが供給される。表示制御部１６３によって表示画面上にその地図データに基づく地図が表示されることにより、最適ルートがドライバに対して提示される。
【００５３】
図６は、このような処理を行なうメインＣＰＵの処理手順を示すフローチャートである。
【００５４】
ステップＳ６１でサムネイル画像データを表示制御部に供給して表示制御部１６３にサムネイル画像データに基づくサムネイル画像一覧を表示させる。ステップＳ６２で行き先情報であるサムネイル画像が図５に示すように複数選択されたら、ステップＳ６３へ進んで選択された複数のサムネイル画像に対応するＧＰＳデータを参照して最適ルートを計算する。
【００５５】
このように本実施形態のカーナビゲーションシステムでは複数のサムネイル画像を行き先として選択することによって、本実施形態のカーナビゲーション装置に旅行行程を定めさせることもできる。
【００５６】
図７は、図４に示す表示画面の変形例を示す図である。
【００５７】
また、行き先設定部であるＣＰＵ１００が、サムネイル画像一覧に重ねて操作に応じて移動するカーソルを表示させるものであり、表示制御部１６３が上記カーソルをいずれかのサムネイル画像に重ねる操作を受けてそのサムネイル画像に対応するＧＰＳデータが表わす位置周辺の地図を表示させる。
【００５８】
ここでは、ＣＰＵ１６０が表示制御部１６３に指示してサムネイル画像一覧に重ねて操作に応じて移動するカーソルを表示させるものであり、表示制御部１６３からの座標データを受けてＣＰＵ１６０がカーソルの位置を判読して地図記憶部１６２からサムネイル画像に対応するＧＰＳデータに応じた地図データを読み出して表示制御部１６３に供給し、表示制御部１６３に地図を表示させるようにしている。
【００５９】
このようにサムネイル画像が縮小画像であって少々見難いことに鑑みて、サムネイル画像に対応するＧＰＳデータが表す位置周辺の地図を表示させるようにすると、行き先がドライバに、より明確に伝達される。
【００６０】
また図８は図４に示す表示画面の別の変形例を示す図である。
【００６１】
図７では行き先設定部が、サムネイル画像一覧に重ねて操作に応じて移動するカーソルを表示させ、表示制御部１６４がカーソルをいずれかのサムネイル画像に重ねる操作を受けて地図を表示させるようにした例を示したが、図８に示すようにサムネイル画像に対応するＧＰＳデータが表わす位置の地点名を表示させるものであっても良い。そうするとドライバが行き先の地点名例えば住所などの確認を行なうことができる。
【００６２】
なお、本実施形態では十字キー１５２の操作により十字カーソル１５２ａを移動させて十字キー１５２の中央にあるＯＫ釦１５２５を押すことにより設定を行なうようにしたが、タッチパネルを使用してパネル上のタッチ操作により行き先の設定を行なうようにしても良い。
【図面の簡単な説明】
【００６３】
【図１】本発明の一実施形態であるカーナビゲーションシステム１を示す図である。
【図２】撮影装置１００、カーナビゲーション装置１５０それぞれの内部構成を示す図である。
【図３】このカーナビゲーションシステム１で行き先設定を行なうときの手順を示すフローチャートである。
【図４】サムネイル画像の一覧表示を示す図である。
【図５】複数の行き先を設定することができるようにした場合の例を示す図である。
【図６】図５の処理を行なうメインＣＰＵの処理手順を示すフローチャートである。
【図７】図４に示す表示画面の変形例を示す図である。
【図８】図４に示す表示画面の別の変形例を示す図である。
【符号の説明】
【００６４】
１  カーナビゲーションシステム
１００    撮影装置
１００ａ    ボディ
１０００ａ    メモリカード挿入口
１０１    レンズ鏡胴
１０１ａ    撮影光学系
１０２    ファインダ
１０３    閃光発光窓
１０４    レリーズ釦
１０５    モードダイヤル
１１０    メインＣＰＵ
１１１    撮像素子
１１２    ＣＤＳＡＭＰ
１１３    Ａ／Ｄ部
１１４    画像バッファメモリ
１１５    信号処理部
１１６    圧縮・伸張部
１１７    メモリカードＩ／Ｆ
１１８    ＧＰＳ受信装置
１５０    カーナビゲーション装置
１５０ａ    ボディ
１５１ａ    メモリカード挿入口
１５２    十字キー
１５２１  上キー
１５２２  下キー
１５２３    左キー
１５２４    右キー
１５２５    ＯＫ釦
１５３    メニュー釦
１６０    メインＣＰＵ
１６０ａ    ＲＯＭ／ＲＡＭ
１６１    ＧＰＳ受信装置
１６２    地図記憶部
１６３    表示制御分
１６４    媒体ドライブ
２００    メモリカード
【図１】
2006098250.tif 000003
【図２】
2006098250.tif 000004
【図３】
2006098250.tif 000005
【図４】
2006098250.tif 000006
【図５】
2006098250.tif 000007
【図６】
2006098250.tif 000008
【図７】
2006098250.tif 000009
【図８】
2006098250.tif 000010